(57)【要約】【課題】発光ユニットをスイッチパネル上に安定的に設置したり、スイッチパネルから容易に取り外して夜間照明、緊急照明及び移動照明として使用することができる照明装置用スイッチを提供する。【解決手段】照明装置用スイッチ１００は、スイッチパネル１１０、発光ユニット１３０及び係合構造１５０を備える。スイッチパネル１１０は、収納槽１１１、第１の貫通孔１１２、第２の貫通孔１１３、第３の貫通孔１１４及び少なくとも１つの第１の弾性部材１１５を有する。第１の弾性部材１１５は、収納槽１１１中に固定され、第１の貫通孔１１２を介してスイッチパネル１１０からスイッチが露出される。発光ユニット１３０は、収納槽１１１へ着脱自在に取り付けられ、位置決め溝１３１と、第１の端面１３２と、第１の端面１３２の反対側に設けられた第２の端面１３３とを有する。【選択図】図３
0003182450.tif 000002
【実用新案登録請求の範囲】
【請求項１】
スイッチパネル、発光ユニット及び係合構造を備えるとともに、スイッチの外側に設置された照明装置用スイッチであって、
前記スイッチパネルが、収納槽、第１の貫通孔、第２の貫通孔、第３の貫通孔及び少なくとも１つの第１の弾性部材を有し、
前記第１の弾性部材が、前記収納槽中に固定され、前記第１の貫通孔を介して前記スイッチパネルから前記スイッチが露出され、
前記発光ユニットが、前記収納槽へ着脱自在に取り付けられ、位置決め溝と、第１の端面と、前記第１の端面の反対側に設けられた第２の端面と、を有し、
前記第２の端面が、前記第１の弾性部材に当接され、前記第２の貫通孔を介して前記スイッチパネルから前記第１の端面が露出され、前記第１の端面と前記第２の端面との間に位置決め溝が形成され、
前記係合構造が、前記収納槽に配置されるとともに、係止部材、第２の弾性部材及び押圧部材を有し、
前記係止部材が、前記位置決め溝に対応するように設けられた凸部を有し、
前記第２の弾性部材が、前記スイッチパネルと前記係止部材との間に接続され、
前記押圧部材が、前記係止部材が当接されると前記第３の貫通孔を介して前記スイッチパネルから露出されることを特徴とする照明装置用スイッチ。
【請求項２】
前記収納槽中には、第１の枢軸及び第１のストッパ部が配置され、
前記係止部材が、第１段、第１の嵌合部及び第２段に分けられ、
前記第１の嵌合部が、前記第１の枢軸に枢着され、
前記第１段には、凸部が形成され、
前記第２段には、前記押圧部材が当接され、
前記第２の弾性部材が、前記第１段と前記第１のストッパ部との間に接続される請求項１に記載の照明装置用スイッチ。
【請求項３】
前記収納槽中には、第２の枢軸及び第３の枢軸が配置され、
前記係止部材が、第１段、第１の嵌合部及び第２段に分けられ、
前記第１の嵌合部が、前記第２の枢軸に枢着され、
前記第１段には、凸部が形成され、
前記第２段には、前記押圧部材が当接され、
前記第２の弾性部材が、前記第３の枢軸に枢着する第２の嵌合部が形成された一端と、前記第２段が接続された他端と、を有するＣ字状部材である請求項１に記載の照明装置用スイッチ。
【請求項４】
前記収納槽中には、第２のストッパ部及び第３のストッパ部が配置され、
前記係止部材が、第１段及び第２段に分けられ、
前記第１段が、前記第２段とともに７字状に形成されるとともに凸部を有し、
前記第２段が、一側面に斜面部が形成され、他側面に前記第２のストッパ部が可動自在に当接され、
前記押圧部材が、前記斜面部へ可動自在に当接され、
前記第２の弾性部材が、前記第２段と前記第３のストッパ部との間に接続される請求項１に記載の照明装置用スイッチ。
【考案の詳細な説明】
【技術分野】
【０００１】
本考案は、照明装置用スイッチに関し、特に、移動式発光ユニットを含む照明装置用スイッチに関する。
【背景技術】
【０００２】
従来の光源が設けられていない電源スイッチの場合、夜間、暗闇の中でスイッチの位置を探すことは困難であった。スイッチの押しボタンに発光体が設けられている物もあったが、その場合でも発光体の光が弱いため夜間照明として使用することはできなかった。そのため、夜間照明が必要な場合、常夜灯、懐中電灯などの照明装置を別に用意する必要があった。
【０００３】
しかし、停電などが発生して照明が急に必要になった場合、従来の非常灯は一般に高い場所に掛けられていて取り外すことが容易でない。また、非常灯の寸法が大きすぎて携帯することも容易でなく、定点にて所定の角度を有する照明しか提供することができない。また、ほとんどの家庭では非常灯が設置されておらず、懐中電灯が非常灯の代わりとして用いられていることが一般的である。更に、平常時にあまり使用されない懐中電灯は、長期間、収納・保管されることが一般的であるため、臨時的に或いは急に懐中電灯を使用しなければならなくなった場合でも、懐中電灯の保管場所をユーザが忘れてしまい易く、懐中電灯を直ちに見つけられずに暗闇の中を探し回ったり、或いは、懐中電灯を使用する段になって電池切れであることが分かり、懐中電灯が使用できないこともある。
【０００４】
そのため、従来、非常灯の携帯が困難であり、懐中電灯の保管場所を探すのが困難であり、また、夜間でもスイッチの位置が認識できないなどの問題が存在しない照明装置用スイッチの提供が求められていた。
【考案の概要】
【考案が解決しようとする課題】
【０００５】
本考案の目的は、発光ユニットをスイッチパネル上へ安定的に設置したり、スイッチパネルから容易に取り外して夜間照明、緊急照明及び移動照明として使用することができる照明装置用スイッチを提供することにある。
【課題を解決するための手段】
【０００６】
前記課題を解決するために、本考案の第１の形態によれば、スイッチパネル、発光ユニット及び係合構造を備えるとともに、スイッチの外側に設置された照明装置用スイッチであって、前記スイッチパネルは、収納槽、第１の貫通孔、第２の貫通孔、第３の貫通孔及び少なくとも１つの第１の弾性部材を有し、前記第１の弾性部材は、前記収納槽中に固定され、前記第１の貫通孔を介して前記スイッチパネルから前記スイッチが露出され、前記発光ユニットは、前記収納槽へ着脱自在に取り付けられ、位置決め溝と、第１の端面と、前記第１の端面の反対側に設けられた第２の端面と、を有し、前記第２の端面は、前記第１の弾性部材に当接され、前記第２の貫通孔を介して前記スイッチパネルから前記第１の端面が露出され、前記第１の端面と前記第２の端面との間に位置決め溝が形成され、前記係合構造は、前記収納槽に配置されるとともに、係止部材、第２の弾性部材及び押圧部材を有し、前記係止部材は、前記位置決め溝に対応するように設けられた凸部を有し、前記第２の弾性部材は、前記スイッチパネルと前記係止部材との間に接続され、前記押圧部材は、前記係止部材が当接されると前記第３の貫通孔を介して前記スイッチパネルから露出されることを特徴とする照明装置用スイッチが提供される。
【０００７】
また、前記収納槽中には、第１の枢軸及び第１のストッパ部が配置され、前記係止部材は、第１段、第１の嵌合部及び第２段に分けられ、前記第１の嵌合部は、前記第１の枢軸に枢着され、前記第１段には凸部が形成され、前記第２段には前記押圧部材が当接され、前記第２の弾性部材は、前記第１段と前記第１のストッパ部との間に接続されることが好ましい。
【０００８】
また、前記収納槽中には、第２の枢軸及び第３の枢軸が配置され、前記係止部材は、第１段、第１の嵌合部及び第２段に分けられ、前記第１の嵌合部は、前記第２の枢軸に枢着され、前記第１段には凸部が形成され、前記第２段には前記押圧部材が当接され、前記第２の弾性部材は、前記第３の枢軸に枢着する第２の嵌合部が形成された一端と、前記第２段が接続された他端と、を有するＣ字状部材であることが好ましい。
【０００９】
また、前記収納槽中には、第２のストッパ部及び第３のストッパ部が配置され、前記係止部材は、第１段及び第２段に分けられ、前記第１段は、前記第２段とともに７字状に形成されるとともに凸部を有し、前記第２段は、一側面に斜面部が形成され、他側面に前記第２のストッパ部が可動自在に当接され、前記押圧部材は、前記斜面部へ可動自在に当接され、前記第２の弾性部材は、前記第２段と前記第３のストッパ部との間に接続されることが好ましい。
【考案の効果】
【００１０】
本考案の照明装置用スイッチは、発光ユニットをスイッチパネル上に安定的に設置したり、スイッチパネルから容易に取り外して夜間照明、緊急照明及び移動照明として使用することができる。
【図面の簡単な説明】
【００１１】
【図１】図１は、本考案の第１実施形態に係る照明装置用スイッチをスイッチの外側に設置したときの状態を示す分解斜視図である。
【図２】図２は、本考案の第１実施形態に係る照明装置用スイッチの係合構造を示す分解斜視図である。
【図３】図３は、本考案の第１実施形態に係る照明装置用スイッチの使用状態を示す説明図である。
【図４】図４は、本考案の第１実施形態に係る照明装置用スイッチの使用状態を示す説明図である。
【図５】図５は、本考案の第２実施形態に係る照明装置用スイッチをスイッチの外側に設置したときの状態を示す分解斜視図である。
【図６】図６は、本考案の第２実施形態に係る照明装置用スイッチの係合構造を示す分解斜視図である。
【図７】図７は、本考案の第２実施形態に係る照明装置用スイッチの使用状態を示す説明図である。
【図８】図８は、本考案の第２実施形態に係る照明装置用スイッチの使用状態を示す説明図である。
【図９】図９は、本考案の第３実施形態に係る照明装置用スイッチをスイッチの外側に設置したときの状態を示す分解斜視図である。
【図１０】図１０は、本考案の第３実施形態に係る照明装置用スイッチの係合構造を示す斜視図である。
【図１１】図１１は、本考案の第３実施形態に係る照明装置用スイッチの使用状態を示す説明図である。
【図１２】図１２は、本考案の第３実施形態に係る照明装置用スイッチの使用状態を示す説明図である。
【考案を実施するための形態】
【００１２】
以下、本考案の実施形態について図に基づいて説明する。なお、これによって本考案が限定されるものではない。
【００１３】
（第１実施形態）
図１〜図４を参照する。図１は、本考案の第１実施形態に係る照明装置用スイッチをスイッチの外側に設置したときの状態を示す分解斜視図である。図２は、本考案の第１実施形態に係る照明装置用スイッチの係合構造を示す分解斜視図である。図３及び図４は、本考案の第１実施形態に係る照明装置用スイッチの使用状態を示す説明図である。
図１〜図４に示すように、本考案の第１実施形態に係る照明装置用スイッチ１００は、少なくともスイッチパネル１１０、発光ユニット１３０及び係合構造１５０から構成される。照明装置用スイッチ１００は、スイッチ２００の外側に設置される。
【００１４】
スイッチパネル１１０は、収納槽１１１、第１の貫通孔１１２、第２の貫通孔１１３、第３の貫通孔１１４及び少なくとも１つの第１の弾性部材１１５を含む。第１の弾性部材１１５は、収納槽１１１中に固定される。スイッチ２００は、第１の貫通孔１１２を介してスイッチパネル１１０から露出される。
【００１５】
発光ユニット１３０は、収納槽１１１中へ着脱自在に取り付けられ、位置決め溝１３１と、第１の端面１３２と、第１の端面１３２の反対側に設けられた第２の端面１３３と、を有する。第２の端面１３３は、第１の弾性部材１１５に当接される。第１の端面１３２は、第２の貫通孔１１３を介してスイッチパネル１１０から露出される。位置決め溝１３１は、第１の端面１３２と第２の端面１３３との間に形成される。発光ユニット１３０は、第１の端面１３２又は第２の端面１３３に設けられた光源発光により照明機能を得る。発光ユニット１３０は、スイッチ２００に接続された電源（図示せず）により充電を行ってもよい。
【００１６】
係合構造１５０は、収納槽１１１に配置され、発光ユニット１３０に隣接されるとともに、係止部材１５１、第２の弾性部材１５２及び押圧部材１５３を有する。係止部材１５１は、位置決め溝１３１に対応するように設けられた凸部１５１１を有する。第２の弾性部材１５２は、スイッチパネル１１０と係止部材１５１との間に接続される。押圧部材１５３は、係止部材１５１に当接され、ユーザが押圧できるように、第３の貫通孔１１４を介してスイッチパネル１１０から露出される。
【００１７】
係止部材１５１の凸部１５１１が位置決め溝１３１に係合されると、発光ユニット１３０が収納槽１１１に固定され、ユーザは取り出すことができなくなる。ユーザが押圧部材１５３を押圧すると、係止部材１５１の凸部１５１１が位置決め溝１３１から外れ、このときユーザが取り出しやすいように、発光ユニット１３０が第１の弾性部材１１５の弾性回復力により第２の貫通孔１１３から突出される。第１実施形態の第１の弾性部材１１５は、３つであるが、勿論、必要に応じて増減させてもよい。
【００１８】
第１実施形態の係合構造１５０は、発光ユニット１３０の上方へ配置され、位置決め溝１３１は、発光ユニット１３０の上面に形成される。収納槽１１１中には、第１の枢軸１１６及び第１のストッパ部１１７が配置される。第１のストッパ部１１７は、収納槽１１１中の側部で係合構造１５０の上方に位置し、係止部材１５１は、第１段１５１２、第１の嵌合部１５１４及び第２段１５１３に分けられる。第１の嵌合部１５１４は、第１の枢軸１１６を中心軸として係止部材１５１が揺動可能なように、第１の枢軸１１６に枢着され、第１段１５１２には、凸部１５１１が設けられ、押圧部材１５３が第２段１５１３に当接される。第２の弾性部材１５２は、第１段１５１２と第１のストッパ部１１７との間に接続される。
【００１９】
第１実施形態の第１の弾性部材１１５は、収納槽１１１の内側面に固定されるばねであり、第２の弾性部材１５２も第１の弾性部材と同様にばねである。
【００２０】
また、係止部材１５１は、押圧部材１５３の一部又は第２段１５１３の一部に属した接続部１５１５を更に含んでもよい。即ち、接続部１５１５は、押圧部材１５３又は係止部材１５１の第２段１５１３に設けられ、押圧部材１５３を第２段１５１３へ当接させるために用いてもよい。第１実施形態の接続部１５１５は、第２段１５１３上に位置する。
【００２１】
更に詳細には、図３に示すように、ユーザがスイッチパネル１１０へ発光ユニット１３０を入れる場合、まず、第２の貫通孔１１３を介して収納槽１１１へ発光ユニット１３０を挿入し、位置決め溝１３１に凸部１５１１が対応するまで発光ユニット１３０を押し続けると、第２の弾性部材１５２の弾性回復力により係止部材１５１の第１段１５１２が押され、第１の枢軸１１６を中心軸として係止部材１５１が第１の方向Ａ（即ち、図３の逆時計回り）へ揺動し、位置決め溝１３１に凸部１５１１を係合させると、発光ユニット１３０の第２の端面１３３が当接されて第１の弾性部材１１５が圧縮される。第１の端面１３２とスイッチパネル１１０の第２の貫通孔１１３とは、図３に示すように、面一状態（即ち、第２の貫通孔１１３から第１の端面１３２が突出されていない状態）となり、発光ユニット１３０がスイッチパネル１１０に固定される。
【００２２】
反対に、発光ユニット１３０を取り出して使用する場合、ユーザが押圧部材１５３を押圧すると、押圧部材１５３が係止部材１５１の第２段１５１３に当接され、第１の枢軸１１６を中心軸として係止部材１５１が第２の方向Ｂ（即ち、図３の時計回り）へ揺動し、係止部材１５１の第１段１５１２により第２の弾性部材１５２が圧縮され、係止部材１５１の凸部１５１１が位置決め溝１３１から外れるとともに、発光ユニット１３０が第１の弾性部材１１５の弾性回復力により押されて第２の貫通孔１１３から突出されるため（図４参照）、ユーザはスイッチパネル１１０から発光ユニット１３０を直接抜き取って使用することができる。
【００２３】
（第２実施形態）
図５〜図８を参照する。図５は、本考案の第２実施形態に係る照明装置用スイッチをスイッチの外側に設置したときの状態を示す分解斜視図である。図６は、本考案の第２実施形態に係る照明装置用スイッチの係合構造を示す分解斜視図である。図７及び図８は、本考案の第２実施形態に係る照明装置用スイッチの使用状態を示す説明図である。
図５〜図８に示すように、本考案の第２実施形態に係る照明装置用スイッチ１００’は、少なくともスイッチパネル１１０’、発光ユニット１３０’及び係合構造１５０’から構成される。係合構造１５０’は、係止部材１５１’、第２の弾性部材１５２’及び押圧部材１５３’を有する。
【００２４】
第２実施形態の係合構造１５０’は、発光ユニット１３０’の下方に配置され、位置決め溝１３１は、発光ユニット１３０’の底面に形成される。収納槽１１１中には、第２の枢軸１１８及び第３の枢軸１１９が配置され、係止部材１５１’は、第１段１５１２’、第１の嵌合部１５１４’及び第２段１５１３’に分けられる。第１の嵌合部１５１４’は、第２の枢軸１１８に枢着され、凸部１５１１は、第１段１５１２’へ位置し、押圧部材１５３’が第２段１５１３’に当接される。第２の弾性部材１５２’は、第２の嵌合部１５２１を枢着させる第３の枢軸１１９が形成された一端と、第２段１５１３’が接続された他端と、を有するＣ字状部材である。
【００２５】
更に詳細には、図７に示すように、ユーザがスイッチパネル１１０’へ発光ユニット１３０’を入れる場合、まず、第２の貫通孔１１３を介して収納槽１１１中へ発光ユニット１３０’を挿入し、位置決め溝１３１が凸部１５１１に対応するまで発光ユニット１３０’を押し続けると、第２の弾性部材１５２’の弾性回復力により、係止部材１５１’の第２段１５１３’が変位し、第２の枢軸１１８を中心軸として係止部材１５１’が第３の方向Ｃ（即ち、図７の時計回り）へ揺動し、凸部１５１１が位置決め溝１３１に係合されるとともに、発光ユニット１３０’の第２の端面１３３が当接されて第１の弾性部材１１５を圧縮する。第１の端面１３２とスイッチパネル１１０’の第２の貫通孔１１３とは面一状態（即ち、第１の端面１３２が第２の貫通孔１１３から突出されない状態）となる（図７参照）。これにより、発光ユニット１３０’がスイッチパネル１１０’に固定される。
【００２６】
反対に、発光ユニット１３０’を取り出して使用する場合、ユーザが押圧部材１５３’を押圧すると、押圧部材１５３’が係止部材１５１’の第２段１５１３’に当接され、第２の枢軸１１８を中心軸として係止部材１５１’が第４の方向Ｄ（即ち、図７の逆時計回り）へ揺動し、第２の弾性部材１５２’に接続されている第２段１５１３’が曲がって変形し、係止部材１５１’の凸部１５１１が位置決め溝１３１から外れ、発光ユニット１３０’が第１の弾性部材１１５の弾性回復力により押されて第２の貫通孔１１３より突出されるため（図８参照）、ユーザは、スイッチパネル１１０’から発光ユニット１３０’を直接抜き取って使用することができる。
【００２７】
（第３実施形態）
図９〜図１２を参照する。図９は、本考案の第３実施形態に係る照明装置用スイッチをスイッチの外側に設置したときの状態を示す分解斜視図である。図１０は、本考案の第３実施形態に係る照明装置用スイッチの係合構造を示す斜視図である。図１１及び図１２は、本考案の第３実施形態に係る照明装置用スイッチの使用状態を示す説明図である。
図９〜図１２に示すように、本考案の第３実施形態に係る照明装置用スイッチ１００”は、少なくともスイッチパネル１１０”、発光ユニット１３０”及び係合構造１５０”から構成される。係合構造１５０”は、係止部材１５１”、第２の弾性部材１５２”及び押圧部材１５３”を有する。
【００２８】
第３実施形態の係合構造１５０”は、発光ユニット１３０”の下方へ位置し、位置決め溝１３１は、発光ユニット１３０”の底面に形成される。収納槽１１１中には、第２のストッパ部１２０及び第３のストッパ部１２１が配置され、係止部材１５１”は、第１段１５１２”及び第２段１５１３”に分けられる。第１段１５１２”は、第２段１５１３”とともに７字状を呈し、凸部１５１１は、第１段１５１２”に形成され、第２段１５１３”は、一側面に斜面部１５１６が設けられ、他側面に第２のストッパ部１２０が可動自在に当接される。押圧部材１５３”は、斜面部１５１６へ可動自在に当接される。第２の弾性部材１５２”は、第２段１５１３”と第３のストッパ部１２１との間に接続される。
【００２９】
更に詳細には、図１１に示すように、ユーザがスイッチパネル１１０”へ発光ユニット１３０”を入れる場合、まず、第２の貫通孔１１３を介して収納槽１１１へ発光ユニット１３０”を挿入し、位置決め溝１３１が凸部１５１１に対応するまで発光ユニット１３０”を押し続けると、第２の弾性部材１５２”の弾性回復力により係止部材１５１”が押され、第５の方向Ｅ（即ち、図１１に示す下から上方向）へ変位して凸部１５１１が位置決め溝１３１に係合されるとともに、発光ユニット１３０”の第２の端面１３３が当接されて第１の弾性部材１１５を圧縮させる。第１の端面１３２とスイッチパネル１１０”の第２の貫通孔１１３とが面一状態（即ち、第１の端面１３２が第２の貫通孔１１３から突出されていない状態）となり（図１１参照）、発光ユニット１３０”がスイッチパネル１１０”に固定される。
【００３０】
反対に、ユーザが発光ユニット１３０”を取り出して使用する場合、押圧部材１５３”を押圧し、係止部材１５１”の斜面部１５１６へ押圧部材１５３”を当接させ、押圧部材１５３”を斜面部１５１６に対して摺動させ、係止部材１５１”を第６の方向Ｆ（図１１の上から下方向へかけて）へ移動させる。言い換えれば、斜面部１５１６が形成されているため、係止部材１５１”の変位方向が押圧部材１５３”の当接方向に対して垂直であり、係止部材１５１”により第２の弾性部材１５２”を圧縮させ、係止部材１５１”の凸部１５１１を位置決め溝１３１から外すと、発光ユニット１３０”が第１の弾性部材１１５の弾性回復力により押されて第２の貫通孔１１３より突出されるため（図１２参照）、ユーザはスイッチパネル１１０”から発光ユニット１３０”を直接抜き取って使用することができる。
【００３１】
また、第３実施形態の接続部１５１５は、押圧部材１５３”上に設けられている。
【００３２】
斜面部１５１６の傾斜角度及び位置は、勿論、第３実施形態及び図面で示された方式のみに限定されるわけではなく、例えば、斜面部１５１６の傾斜角度は、係止部材１５１”を位置決め溝１３１に係合させる移動行程の必要に応じて変えてもよい。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１００      照明装置用スイッチ
１００’    照明装置用スイッチ
１００”    照明装置用スイッチ
１１０      スイッチパネル
１１０’    スイッチパネル
１１０”    スイッチパネル
１１１      収納槽
１１２      第１の貫通孔
１１３      第２の貫通孔
１１４      第３の貫通孔
１１５      第１の弾性部材
１１６      第１の枢軸
１１７      第１のストッパ部
１１８      第２の枢軸
１１９      第３の枢軸
１２０      第２のストッパ部
１２１      第３のストッパ部
１３０      発光ユニット
１３０’    発光ユニット
１３０”    発光ユニット
１３１      位置決め溝
１３２      第１の端面
１３３      第２の端面
１５０      係合構造
１５０’    係合構造
１５０”    係合構造
１５１      係止部材
１５１’    係止部材
１５１”    係止部材
１５２      第２の弾性部材
１５２’    第２の弾性部材
１５２”    第２の弾性部材
１５３      押圧部材
１５３’    押圧部材
１５３”    押圧部材
２００      スイッチ
１５１１      凸部
１５１２      第１段
１５１２’    第１段
１５１２”    第１段
１５１３      第２段
１５１３’    第２段
１５１３”    第２段
１５１４      第１の嵌合部
１５１４’    第１の嵌合部
１５１５      接続部
１５１６      斜面部
１５２１      第２の嵌合部
Ａ      第１の方向
Ｂ      第２の方向
Ｃ      第３の方向
Ｄ      第４の方向
Ｅ      第５の方向
Ｆ      第６の方向
【図１】
0003182450.tif 000003
【図２】
0003182450.tif 000004
【図３】
0003182450.tif 000005
【図４】
0003182450.tif 000006
【図５】
0003182450.tif 000007
【図６】
0003182450.tif 000008
【図７】
0003182450.tif 000009
【図８】
0003182450.tif 000010
【図９】
0003182450.tif 000011
【図１０】
0003182450.tif 000012
【図１１】
0003182450.tif 000013
【図１２】
0003182450.tif 000014